(57)【要約】      （修正有）【課題】衣類の多少によって鞄の厚度を調整することができる圧縮機能付き衣類収納鞄を提供する。【解決手段】上層鞄体、底層鞄体および中間鞄体を含み、上層鞄体、中間鞄体と底層鞄体は順次に接続されて衣類収納鞄の収納空間を形成する圧縮機能付き衣類収納鞄であって、中間鞄体は可圧縮隔離層９であり、可圧縮隔離層に衣類収納鞄の厚度を増加または減少するための圧縮隔離層ジッパーユニット５が設けられている。可圧縮隔離層が設けられることで、衣類の多少によって圧縮隔離層ジッパーユニットを開閉して収納鞄の厚度を調整することが可能である。収納鞄の容積はユーザにより調整可能で、圧縮隔離層ジッパーユニットを開放すれば可圧縮隔離層を膨張させるが、圧縮隔離層ジッパーユニットを閉合すれば可圧縮隔離層が圧縮される。【選択図】図１
0003224154.tif 000002
【実用新案登録請求の範囲】
【請求項１】
上層鞄体、底層鞄体および中間鞄体を含み、前記上層鞄体、前記中間鞄体と前記底層鞄体
は順次に接続して衣類収納鞄の収納空間を形成した圧縮機能付き衣類収納鞄であって、前
記中間鞄体は可圧縮隔離層（９）であり、前記可圧縮隔離層（９）に前記衣類収納鞄の厚
度を増加または減少するための圧縮隔離層ジッパーユニット（５）が設けられていること
を特徴とする圧縮機能付き衣類収納鞄。
【請求項２】
前記上層鞄体は上層鞄蓋（１）、上層鞄層（２）および前記上層鞄蓋（１）と上層鞄層（
２）を接続するための上層ジッパーユニット（４）を含むことを特徴とする請求項１に記
載の圧縮機能付き衣類収納鞄。
【請求項３】
前記底層鞄体は底層鞄蓋（８）、底層鞄層（７）および前記底層鞄蓋（８）と底層鞄層（
７）を接続するための底層ジッパーユニット（６）を含むことを特徴とする請求項１また
は２に記載の圧縮機能付き衣類収納鞄。
【請求項４】
前記上層鞄蓋（１）にさらに外側入れ袋（３）が設けられていることを特徴とする請求項
２に記載の圧縮機能付き衣類収納鞄。
【請求項５】
前記底層鞄体または前記上層鞄体に取っ手（１０）が設けられていることを特徴とする請
求項１に記載の圧縮機能付き衣類収納鞄。
【考案の詳細な説明】
【技術分野】
【０００１】
本考案は、生活用品の分野に関するもので、具体的に、圧縮機能付き衣類収納鞄に関する
。
【背景技術】
【０００２】
短距離旅行などでは、荷物の中にいつもデジタル製品、スキンケア製品、着替え衣類、靴
などを入れている。デジタル製品、スキンケア製品の占める体積は縮小されにくい。着替
え衣類は、畳むことで体積を減らしたり、織物としての弾力性を利用して体積を縮めたり
することができる。どのように最大限に複数枚の衣類を一つの空間に収納するかというの
が非常に重要となる。
【０００３】
従来のキャリーケースは、収納用空間が変化できず、品物の多少によって調整できなく、
使用が極めて不便である。
【考案の概要】
【０００４】
本実用新案の目的は従来の技術における欠陥や不足を克服し、収納空間が変化できず、品
物の多少によって調整できなく、使用が極めて不便であるなどの従来のキャリーケースに
おける技術課題を解決できる圧縮機能付き衣類収納鞄を提供することにある。上層鞄体、
底層鞄体および中間鞄体を含み、前記上層鞄体、中間鞄体と底層鞄体は順次に接続して前
記衣類収納鞄の収納空間を形成した圧縮機能付き衣類収納鞄であって、前記中間鞄体は可
圧縮隔離層であり、前記可圧縮隔離層に前記衣類収納鞄の厚度を増加または減少するため
の圧縮隔離層ジッパーユニットが設けられている圧縮機能付き衣類収納鞄である。
【０００５】
一の本実用新案に係る実施例によれば、前記上層鞄体は上層鞄蓋、上層鞄層および前記
上層鞄蓋と上層鞄層を接続するための上層ジッパーユニットを含む。
【０００６】
一の本実用新案に係る実施例によれば、前記底層鞄体は底層鞄蓋、底層鞄層および前記
底層鞄蓋と底層鞄層を接続するための底層ジッパーユニットを含む。
【０００７】
一の本実用新案に係る実施例によれば、前記上層鞄蓋にさらに外側入れ袋が設けられて
いる。
【０００８】
一の本実用新案に係る実施例によれば、前記底層鞄体または上層鞄体に取っ手が設けら
れている。
【０００９】
従来の技術に対して、本実用新案は以下の有益な効果を謀られる。本実用新案にかかる圧
縮機能付き衣類収納鞄は、可圧縮隔離層が設けられることで、衣類の多少によって圧縮隔
離層ジッパーユニットを開閉して収納鞄の厚度を調整することが可能である。収納鞄の容
積はユーザにより調整可能で、圧縮隔離層ジッパーユニットを開放すれば可圧縮隔離層を
膨張させるが、圧縮隔離層ジッパーユニットを閉合すれば可圧縮隔離層が圧縮される。加
えて、この圧縮機能付き衣類収納鞄は構成が簡単で、使用が便利である。
【図面の簡単な説明】
【００１０】
図１は本実用新案にかかる圧縮機能付き衣類収納鞄の構成図である。
図２は本実用新案にかかる圧縮機能付き衣類収納鞄の同図１における構成図の裏面である
。
【考案を実施するための形態】
【００１１】
以下、実施例および図面を参考しながら、本実用新案をさらに詳しく説明する。ただし、
本実用新案の実施形態は以下のものに限られない。
【００１２】
図１に示すように、本実用新案にかかる圧縮機能付き衣類収納鞄の構成図である。該圧縮
機能付き衣類収納鞄は上層鞄体、底層鞄体および中間鞄体を含み、且つ上層鞄体、中間鞄
体と底層鞄体は順次に接続して衣類収納鞄の収納空間を形成する。また、収納鞄の厚度に
対する調整を実現するよう中間鞄体を圧縮可能にさせるために、中間鞄体は可圧縮隔離層
９として設置されている。また、本実用新案の実施例において、衣類収納鞄の厚度をより
適宜に調整できるように、可圧縮隔離層９に圧縮隔離層ジッパーユニット５が設けられて
いる。圧縮隔離層ジッパーユニット５を開くと、可圧縮隔離層は膨張して収納鞄の厚度が
増加可能となり、よって収納鞄の容積を増加するので、より多くの衣類を入れ得る。一方
、圧縮隔離層ジッパーユニット５を閉じると、可圧縮隔離層は圧縮または折畳され、収納
鞄の厚度が減少可能となり、よって収納鞄の容積を減少する。
【００１３】
本実用新案の実施例において、上層鞄体は上層鞄蓋１、上層鞄層２および上層鞄蓋１と上
層鞄層２を接続するための上層ジッパーユニット４を含む。同じように、底層鞄体は底層
鞄蓋８、底層鞄層７および底層鞄蓋８と底層鞄層７を接続するための底層ジッパーユニッ
ト６を含む。衣類を入れようとするときに、上層ジッパーユニット４または底層ジッパー
ユニット６を開き、衣類を収納鞄内に入れ、上層ジッパーユニット４または底層ジッパー
ユニット６を閉じ、こうして鞄体の充填がなされる。図１に示す破線はすべてジッパーの
ユニットの構成部分を示す。
【００１４】
本実用新案の実施例に用いられる材料はナイロンクロスとする。
【００１５】
本実用新案の実施例において、上層鞄蓋１にさらに外側入れ袋３が設けられている。この
ようにして、収納鞄を開きたくない場合、オッズアンドエンドなどを入れてもよく、簡単
かつ便利である。外側入れ袋はジッパーにより開閉されてもよく、ボタンや他の手段によ
り開閉されてもよい。
【００１６】
本実用新案の実施例において、図２に示すように、底層鞄体または上層鞄体に取っ手１０
が設けられ、取り置きも便利になる。
【００１７】
以上によれば、本実用新案にかかる圧縮機能付き衣類収納鞄は、可圧縮隔離層９が設けら
れることで、衣類の多少によって圧縮隔離層ジッパーユニット５を開閉して収納鞄の厚度
を調整することができる。収納鞄の容積はユーザによって調整可能で、圧縮隔離層ジッパ
ーユニット５を開放すれば可圧縮隔離層９を膨張できるが、圧縮隔離層ジッパーユニット
５を閉合すれば可圧縮隔離層９が圧縮される。加えて、この圧縮機能付き衣類収納鞄は構
成が簡単で、使用が便利である。
【００１８】
以上は本実用新案の好適実施例に過ぎず、本実用新案を制限するものではなく、当業者で
あれば、本実用新案について様々な変更や変化を行うことができる。本実用新案の精神や
原則から逸脱することなく行われるすべての修正、等同置換、改良などは本実用新案の保
護範囲に属する。
【図１】
0003224154.tif 000003
【図２】
0003224154.tif 000004